【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
外科的創傷切開部を所望の直径まで拡張するようになった調節可能な創傷開創器であって、
前記創傷切開部の前記所望の直径よりも大きな直径を有し、前記創傷切開部の内部に配置することができるようになった第１のリングと、
環状軸線、及び、前記創傷切開部の前記所望の直径よりも大きな直径を有し、前記創傷切開部の外部に配置することができるようになった第２のリングと、
前記第１のリングと前記第２のリングとの間に全体的に円筒形の形態で配置される可撓性スリーブとを有し、
前記第２のリングは、前記切開部を前記所望の直径まで引き伸ばすのに十分な半径方向後退力をスリーブに与えるように、環状軸線回りにそれ自体転がされる、
創傷開創器。
【請求項２】
開創器は、広範な切開部サイズに適合するよう小刻みに調節可能である、請求項１記載の創傷開創器。
【請求項３】
第２のリングは、これが所望の後退力をもたらすように、それ自体転がることができるようにするエラストマー特性を有している、請求項１記載の創傷開創器。
【請求項４】
創傷切開部の外部に延びる可撓性スリーブのどの部分も創傷切開部の側部を緊密に密封するよう第２のリングに巻き付けることができる、請求項１記載の創傷開創器。
【請求項５】
第２のリングは、聴覚及び触覚フィードバックのうち少なくとも１つをユーザに与えるよう形作られている、請求項１記載の創傷開創器。
【請求項６】
第２のリングは、掴んで回すのが容易な表面を有し、それによりユーザは可撓性スリーブを容易に丸く巻くことができるようになっている、請求項５記載の創傷開創器。
【請求項７】
第２のリングが管壁を備えたルーメンを有する、請求項１記載の創傷開創器。
【請求項８】
第２のリングを転がしているときに管壁に当たって撓んで可聴信号をユーザにもたらすように、ルーメンの内部に配置されたロッドを有する、請求項７記載の創傷開創器。
【請求項９】
スリーブは、可撓性であって、流体及び細菌に対して不透過性の材料で作られている、請求項１記載の創傷開創器。
【請求項１０】
第２のリングは、ウェブによって接合された二重管を有する、請求項１記載の創傷開創器。
【請求項１１】
二重管の管の各々が円形である、請求項１０記載の創傷開創器。
【請求項１２】
二重管の管の各々が、中実である、或いは、ルーメンを有する、請求項１１記載の創傷開創器。
【請求項１３】
二重管の形状が、環状軸線回りに転がされたときに、容易なスナップ作用をもたらす、請求項１０記載の創傷開創器。
【請求項１４】
ロッドはステンレス鋼ワイヤである、請求項８記載の創傷開創器。
【請求項１５】
ロッドが創傷開創器に後退安定性を与える、請求項８記載の創傷開創器。
【請求項１６】
第２のリングを複数の位置のうちの１つの位置に保持して当該位置と関連した所望の半径方向後退力をもたらすための一方向機構を更に有する、請求項７記載の創傷開創器。
【請求項１７】
一方向機構、一方向ローラを有する、請求項１６記載の創傷開創器。
【請求項１８】
ルーメンが扇形断面を有する、請求項８記載の創傷開創器。
【請求項１９】
ロッドは、扇形断面を有し、創傷開創器のインクリメンタル回転機構として役立つようにルーメンの内部に同軸に配置されている、請求項１８記載の創傷開創器。
【請求項２０】
管壁及びロッドは各々、第２のリングを回してロッドに対して整合させたり、整合を解いたりしたとき、互いに割出しを行って一致するように動作する複数の位置合わせ箇所を有する、請求項８記載の創傷開創器。
【請求項２１】
管壁及びロッドは各々、第２のリングの割出し及び小刻みな回転をもたらす少なくとも１つの位置合わせ箇所を有する、請求項８記載の創傷開創器。
【請求項２２】
第２のリングのルーメンは、円形、長円形、少なくとも１つのこぶ状突起を備えた円形、矩形、三角形及び多数の辺を備えた任意の幾何学的形状のうちの１つを含む断面を有する、請求項７記載の創傷開創器。
【請求項２３】
ロッドは、中実矩形形状、中空矩形形状、中実円形形状、中空円形形状及び任意の中実又は中空幾何学的形状のうちの１つを含む断面形状を有する、請求項８記載の創傷開創器。
【請求項２４】
第２のリングは、全体として扁長形断面を有する、請求項１記載の創傷開創器。
【請求項２５】
第２のリングは、スリーブを丸く巻くように外方又は内方のいずれかの方向に巻くことができる、請求項１記載の創傷開創器。
【請求項２６】
第２のリングは、環状軸線に平行な２つの全体として真っ直ぐな弦状表面を有する、請求項２４記載の創傷開創器。
【請求項２７】
第２のリングは、２つの反対側の湾曲した弦状表面を有する、請求項２６記載の創傷開創器。
【請求項２８】
第２のリングは、少なくとも２つの湾曲した弦状表面を有する、請求項２４記載の創傷開創器。
【請求項２９】
第２のリングは、管壁を備えた少なくとも１つのルーメンを有する、請求項２４記載の創傷開創器。
【請求項３０】
第２のリングを転がしている又はひっくり返しているときに管壁に当たって撓んで可聴信号をユーザにもたらすように、ルーメンの内部に配置されたロッドを有する、請求項２９記載の創傷開創器。
【請求項３１】
第２のリングのルーメンは、円形、長円形、少なくとも１つのこぶ状突起を備えた円形、矩形、三角形及び多数の辺を備えた任意の幾何学的形状のうちの１つを含む断面を有する、請求項２９記載の創傷開創器。
【請求項３２】
ロッドは、中実矩形形状、中空矩形形状、中実円形形状、中空円形形状及び任意の中実又は中空幾何学的形状のうちの１つを含む断面形状を有する、請求項３０記載の創傷開創器。
【請求項３３】
第２のリングは全体的に扁円形断面を有する、請求項１記載の創傷開創器。
【請求項３４】
第２のリングは、少なくとも２つの湾曲した弦状表面を有する、請求項３３記載の創傷開創器。
【請求項３５】
第２のリングは、管壁を備えた少なくとも１つのルーメンを有する、請求項３３記載の創傷開創器。
【請求項３６】
第２のリングを転がしている又はひっくり返しているときに管壁に当たって撓んで可聴信号をユーザにもたらすように、ルーメンの内部に配置されたロッドを有する、請求項３５記載の創傷開創器。
【請求項３７】
第２のリングのルーメンは、円形、長円形、少なくとも１つのこぶ状突起を備えた円形、矩形、三角形及び多数の辺を備えた任意の幾何学的形状のうちの１つを含む断面を有する、請求項３５記載の創傷開創器。
【請求項３８】
ロッドは、中実矩形形状、中空矩形形状、中実円形形状、中空円形形状及び任意の中実又は中空幾何学的形状のうちの１つを含む断面形状を有する、請求項３６記載の創傷開創器。
【請求項３９】
外科的接近器具であって、該外科的接近器具を貫通して切開部内へ延びる器械との密封関係を容易にする外科的接近器具において、
前記切開部の内部に配置することができるようになった第１のリングと、
環状軸線有し、前記切開部の外部に配置することができるようになった第２のリングと、
前記第１のリングと前記第２のリングを連結する可撓性スリーブとを有し、該可撓性スリーブが、前記スリーブを所定の増分で短くするように環状軸線回りにそれ自体転がる特性を有し、
前記第２のリングをしっかりと受け入れるように前記切開部に対して配置された弁構造体を有する、
外科的接近器具。
【請求項４０】
第２のリングの転がり特性は、切開部を所望の直径まで引き伸ばすのに十分な半径方向後退力をスリーブに与える、請求項３９記載の外科的接近器具。
【請求項４１】
弁構造体はゲルキャップ及び腹側ベースを有する、請求項３９記載の外科的接近器具。
【請求項４２】
ゲルキャップは、ゲルパッド及び円周方向キャップリングを有する、請求項４１記載の外科的接近器具。
【請求項４３】
キャップリングは、腹側ベースと密封関係をなすよう内側周囲に設けられた環状空所を有する、請求項４２記載の外科的接近器具。
【請求項４４】
腹側ベースは、第２のリングを固定するようその内径に沿って丸くなった端面を有する、請求項４１記載の外科的接近器具。
【請求項４５】
腹側ベースは、キャップとシールを形成し又はベースをキャップから解除するように、ベースの内径に沿って複数のトグルを有する、請求項４１記載の外科的接近器具。
【請求項４６】
腹側ベースは、キャップとシールを形成し又はベースをキャップから解除するように、ベースの内径に沿って複数のラッチを有する、請求項４１記載の外科的接近器具。
【請求項４７】
腹側ベースは、キャップとシールを形成し又はベースをキャップから解除するように、ベースの内径に沿って嵌合手段を有する、請求項４１記載の外科的接近器具。
【請求項４８】
腹側ベースは、対応関係をなすキャップリングに適合するように、ベースの内径に沿って隆起壁を有する、請求項４１記載の外科的接近器具。
【請求項４９】
弁構造体は、切開部上に配置されるようになったパッドを形成すると共に切開部の周りにシールを形成し、パッドは、パッドを貫通した接近チャネルを構成し、切開部と連通状態をなすように延びる部分を有するゲル材料を含む、請求項３９記載の外科的接近器具。
【請求項５０】
器械は外科医の腕である、請求項３９記載の外科的接近器具。
【請求項５１】
第２のリングは、環状軸線回りに互いに異なる環状ロック箇所をもたらす少なくとも２つの全体として円形の管から形成されている、請求項１記載の創傷開創器。
【請求項５２】
管は各々、中実であり又は管壁を備えたルーメンを有している、請求項５１記載の創傷開創器。
【請求項５３】
第２のリングを回しているときに管壁に当たって撓んで可聴信号をユーザにもたらすよう管のルーメンの内部に配置されたロッドを更に有している、請求項５２記載の創傷開創器。
【請求項５４】
第２のリングを形成する管の数は、環状軸線回りのロック箇所の数を定める、請求項５１記載の創傷開創器。